(57)【要約】【課題】梯子の両側枠上端部を、入隅部や出隅部のように互いに異なった傾斜壁面に当て付け使用する場合にも、滑りを生ずることなく的確に支持させて固定させることができる梯子立て掛け用端具装置を提供する。【解決手段】一対の側枠２，２と両側枠２，２間に横架される複数の踏桟３とからなる梯子１の各側枠２上端部に設けられる梯子立て掛け用の端具装置４であって、梯子１の各側枠２上端部に取り付けられるブラケット６の先端部に、梯子１を立て掛ける建物等の壁面５に当接支持される支持面７を先端側に有する端具８を、左右方向に回転可能で且つ上下方向に傾転可能に枢着すると共に、端具８を中立位置に保持するように付勢するバネ９を端具８とブラケット６先端部との間に介挿する。【選択図】図２
2011032758.tif 000002
【特許請求の範囲】
【請求項１】
一対の側枠と両側枠間に横架される複数の踏桟とからなる梯子の各側枠上端部に設けられる梯子立て掛け用の端具装置であって、梯子の各側枠上端部に取り付けられるブラケットの先端部に、梯子を立て掛ける建物等の壁面に当接支持される支持面を先端側に有する端具を、左右方向に回転可能で且つ上下方向に傾転可能に枢着すると共に、この端具を中立位置に保持するように付勢するバネを端具とブラケット先端部との間に介挿してなる梯子立て掛け用の端具装置。
【請求項２】
前記端具は、梯子を立て掛ける壁面に当接支持される支持面を先端側に有する端具本体と、端具本体の背面側に取り付けられた端具受けとからなり、端具受けには、横断面形状が前後方向に長い長孔状の支軸挿入孔を上下方向に貫通形成し、この支軸挿入孔を貫通する支軸の上下両端部を前記ブラケットの先端側で支持させることによって、端具をブラケットの先端部に対し左右方向に回転可能で且つ上下方向に傾転可能に枢着した請求項１に記載の梯子立て掛け用の端具装置。
【請求項３】
前記端具本体の先端側支持面には凹凸部からなる滑り止めを形成してなる請求項１又は２に記載の梯子立て掛け用の端具装置。
【請求項４】
前記ブラケットは、梯子の各側枠上端部に取り付けられる取付金具と、この取付金具の先端部に取り付けられるブラケット本体とからなるもので、ブラケット本体に端具を枢着してなる請求項１〜３の何れかに記載の梯子立て掛け用の端具装置。
【発明の詳細な説明】
【技術分野】
【０００１】
本発明は、梯子を建物等の壁面に立て掛けて使用する時に梯子の両側枠上端部を壁面に的確に支持させるための梯子立て掛け用端具装置に関する。
【背景技術】
【０００２】
一対の側枠と両側枠間に所要間隔おきに横架される踏桟とからなる従来の梯子を、建物の壁に所要の傾斜角度で立て掛けて使用する時は、各側枠の下端部に角度変更自在に装着されている接地用の端具を床面に接地し、各側枠の上端部側は、側枠上端部に取り付けてあるキャップを壁面に当て付けている。
【発明の概要】
【発明が解決しようとする課題】
【０００３】
上記のように従来の梯子では、各側枠の上端部は立て掛ける建物の壁面に対して単に当て付けるだけであるから、両側枠の夫々上端部が同じ平面上にある場合には問題ないが、図１１に示すような入隅部や図１２に示すように出隅部での作業を行う場合に、両側枠の上端部を互いに直交するような傾斜壁面に当て付けて使用すると、各側枠上端部のキャップがその傾斜壁面に対し線接触状態で接することになるため滑り易く、梯子の使用が非常に困難となるか、もしくは使用ができなくなる。
【０００４】
本発明は、上記の事情に鑑み、梯子の両側枠上端部を、入隅部や出隅部のように互いに交差する壁面にわたって当て付け使用する場合も、滑りを生ずることなく的確に支持させて固定することができる梯子立て掛け用端具装置を提供することを目的とする。
【課題を解決するための手段】
【０００５】
上記課題を解決するための手段を、後述する実施形態の参照符号を付して説明すると、請求項１に係る発明は、一対の側枠２，２と両側枠２，２間に横架される複数の踏桟３とからなる梯子１の各側枠２上端部に設けられる梯子立て掛け用の端具装置４であって、梯子１の各側枠２上端部に取り付けられるブラケット６の先端部に、梯子１を立て掛ける建物等の壁面５に当接支持される支持面７を先端側に有する端具８を、左右方向に回転可能で且つ上下方向に傾転可能に枢着すると共に、端具８を中立位置に保持するように付勢するバネ９を端具８とブラケット６先端部との間に介挿してなることを特徴とする。
【０００６】
請求項２は、請求項１に記載の梯子立て掛け用の端具装置において、前記端具８は、梯子１を立て掛ける壁面５に当接支持される支持面７を先端側に有する端具本体１０と、端具本体１０の背面側に取り付けられた端具受け１１とからなり、端具受け１１には、横断面形状が前後方向に長い長孔状の支軸挿入孔１２を上下方向に貫通形成し、この支軸挿入孔１２を貫通する支軸２１の上下両端部を前記ブラケット６の先端側で支持させることによって、端具８をブラケット６の先端部に対し左右方向に回転可能で且つ上下方向に傾転可能に枢着したことを特徴とする。
【０００７】
請求項３は、請求項１又は２に記載の梯子立て掛け用の端具装置において、前記端具本体１０の支持面７には凹凸部３１，３２，３３，３４，３５からなる滑り止めを形成してなることを特徴とする。
【０００８】
請求項４は、請求項１〜３の何れかに記載の梯子立て掛け用の端具装置において、前記ブラケット６は、梯子１の各側枠２上端部に取り付けられる取付金具１９と、この取付金具１９の先端部に取り付けられるブラケット本体２０とからなるもので、ブラケット本体２０に端具８を枢着してなることを特徴とする。
【発明の効果】
【０００９】
上記解決手段による発明の効果を、後述する実施形態の参照符号を付して説明すると、請求項１に係る発明の端具装置４は、梯子１の各側枠２上端部に取り付けられるブラケット６の先端部に、建物等の壁面５に当接支持される支持面７を有する端具８を、左右方向に回転可能で且つ上下方向に傾転可能に枢着すると共に、端具８を中立位置に保持するように付勢するバネ９を端具８とブラケット６先端部の間に介挿してなるものであるから、入隅部や出隅部のように互いに交差する壁面５，５にわたって梯子１を立て掛けて使用する場合も、各端具装置４の端具８が各壁面５の角度に応じて適宜に回転又は傾転して当接することにより、各端具８を壁面５に対し滑りを生ずることなく的確に支持させることができる。また、端具装置４は梯子１の両側枠２，２に対し同じ構造のものでよいから、製作コストを低減できる。
【００１０】
請求項２に係る発明によれば、端具８は、支持面７を先端側に有する端具本体１０と、端具本体１０の背面側に取り付けられた端具受け１１とからなるもので、端具本体１０が破損したような場合には、端具受け１１から取り外して、新しいものと取り替えることができる。また、端具受け１１には、横断面形状が前後方向に長い長孔状の支軸挿入孔１２を上下方向に貫通形成し、この支軸挿入孔１２を貫通するた支軸２１の上下両端部をブラケット６の先端側で支持させるようにしたから、簡単な枢着構造によって、ブラケット６先端部に対する端具８の左右回転及び上下傾転を行わせることができる。
【００１１】
請求項３に係る発明によれば、端具本体１０の支持面７に凹凸部３１，３２，３３，３４，３５からなる滑り止めを形成しているから、壁面５に対する端具８の滑りを有効に防止できて、端具８を垂直壁面５に的確に支持させることができる。
【００１２】
請求項４に係る発明によれば、ブラケット６は、梯子１の各側枠２上端部に取り付けられる取付金具１９と、取付金具１９の先端部に取り付けられるブラケット本体２０とからなるもので、長さの異なる複数種類のブラケット６を製作する場合に、ブラケット本体２０は１種類のもので済むから、製作コストを低減できる。
【図面の簡単な説明】
【００１３】
【図１】(a) は本発明に係る梯子立て掛け用の端具装置を備えた梯子の使用状態を示す側面図、(b) は(a) の矢印Ｘから見た正面図である。
【図２】図１の(a) の矢印Ｙで示す部分の拡大図である。
【図３】梯子立て掛け用の端具装置の斜視図である。
【図４】(a) は同端具装置の拡大側面図、(b) は平面図である。
【図５】(a) は端具の端具受けを示す正面図であり、(b) は平面図、(c) は(b) のＱ−Ｑ線断面図である。
【図６】(a) は端具の端具本体を示す正面図、(b) は平面図、(c) は側面図、(d) は背面図である。
【図７】(a) は端具本体に端具受けを取り付けて形成された端具の正面図、(b) は平面図、(c) は側面図である。
【図８】(a) は端具をブラケット本体に取り付けた状態の側面図、(b) は平面図である。
【図９】(a) はブラケット本体の側面図、(b) は平面図、(c) は側面図、(d) は(b) のＺ−Ｚ線断面図、(e) は(a) の矢印Ｖから見た図面である。
【図１０】(a) ，(b) は端具をブラケットに対し上下方向に傾転した状態を示す側面図である。
【図１１】同端具装置を入隅部で使用している状態を示す平面図である。
【図１２】同端具装置を出隅部で使用している状態を示す平面図である。
【発明を実施するための形態】
【００１４】
以下に本発明の好適な一実施形態を図面に基づいて説明すると、図１の(a) ，(b) 及び図２において、１は上段側梯子１ａと下段側梯子１ｂとからなる２連式伸縮梯子を示し、各梯子１ａ，１ｂは、一対の側枠２，２と両側枠２，２間に所要間隔おきに横架される踏桟３とからなるもので、上段側梯子１ａの各側枠２の上端部に本発明に係る梯子立て掛け用端具装置４が設けられる。５は水平床面Ｓに対し垂直な建物の垂直壁面を示す。下段側梯子１ｂの各側枠２には下端部に伸縮脚２ａが設けられ、各伸縮脚２ａの下端には周知の脚端具２ｂが回転自在に取り付けてある。
【００１５】
端具装置４は、図２〜図４に示すように、上段側梯子１ａの各側枠２上端部に取り付けられるブラケット６の先端部に、梯子１を立て掛ける建物等の垂直壁面５に当接支持される支持面７を先端側に有する端具８を、左右方向に回転可能で且つ上下方向に傾転可能に枢着すると共に、この端具８を図３及び図４に示す中立位置に保持するように付勢するコイルバネ９を端具８とブラケット６先端部との間に介挿してなるものである。
【００１６】
上記端具装置４の構造について更に詳しく説明すれば、端具８は、梯子１を立て掛ける垂直壁面５に当接支持される支持面７を先端側に有する合成樹脂製の端具本体１０（図３、図４及び図６参照）と、この端具本体１０の背面側に取り付けられる金属製の端具受け１１（図５参照）とによって構成される。
【００１７】
端具受け１１は、アルミ押出形材によって形成されたもので、図５の(a) 〜(c) に示すように、端具本体１０の背面に形成された凹状収容部１０ａ（図６の(b) 及び(d) 参照）に嵌合収容されてビス止めされる板状部１１ａと、この板状部１１ａの背面側に一体形成された筒状の取付部１１ｂとからなり、筒状取付部１１ｂ内の左右幅方向中心部には、横断面形状が前後方向に長い長孔状の支軸挿入孔１２が上下方向に貫通形成され、また筒状取付部１１ｂの外側面の幅方向中心部には凸条片１３が端具受け１１の長さ方向全長にわたり条設され、その長さ方向中央部にコイルバネ係止部１４が設けられている。
【００１８】
端具本体１０は、図６の(a) 〜(d) に示すように、合成樹脂で一体形成されたもので、先端側の支持面７には、図３からも分かるように、左右方向中央部側に大きな凹部３１が形成され、この凹部３１には２つのビス止め用凹部３２と多数の突起３３が突設され、また凹部３１を挟んで支持面７の左右両側には夫々前後２つのビス止め用凹部３４と左右方向に長い複数の凹溝部３５が形成されている。これらの凹凸部３１，３２，３３，３４，３５は、支持面７の滑り止めを形成する。また、端具本体１０の背面側には、上下両端部の夫々左右方向中央部に、前後方向に延びる切欠溝１５を形成した突片１６が突設され、また図６の(c) に示すように上下両突片１６，１６の中間部には、端具受け１１との組み立て時に端具受け１１の支軸挿入孔１２内に突入して、この支軸挿入孔１２に挿通される支軸２１の長さ方向中央部を支持するための支持片１７が突設されている。この支持片１７は、端具本体１０の背面に形成された凹状収容部１０ａに端具受け１１を嵌合収容する時に端具受け１１に設けられた開口部１８（図５参照）を通って支軸挿入孔１２内に突入するようになっている。
【００１９】
端具本体１０に端具受け１１を取り付けて端具８を組み立てるには、端具本体１０の背面側の凹状収容部１０ａに端具受け１１を嵌合収容し、端具本体１０側の支持片１７を、端具受け１１側の開口部１８から支軸挿入孔１２内に突入させた後、端具本体１０の支持面７側に設けてあるビス止め用凹部３２，３４のビス挿通孔３６から端具受け１１の対応する位置に設けてあるネジ孔３７に夫々ビス３８をねじ込んで、締め付ければよく、こうして組み立てた端具８を図７の(a) 〜(c) に示す。
【００２０】
ブラケット６は、図３及び図４に示すように、梯子上段側梯子１ａの各側枠２上端部に取り付けられる取付金具１９と、この取付金具１９の先端部に取り付けられる金属製のブラケット本体２０とからなる。ブラケット本体２０は、図９の(a) 〜(e) に示すように、船底形主体部２２の上下端部に前方へ突出する平面視略三角形の鍔２３，２４を突設し、上下両鍔２３，２４には上下に対向する位置に支軸挿通孔２３ａ，２４ａを設け、船底形主体部２２の背面側傾斜壁部２２ａに矩形状の取付枠部２５を突設し、またこの傾斜壁部２２にコイルバネ係止部２６を設けてなるものである。
【００２１】
図８の(a) ，(b) は上記のような構造のブラケット本体２０に端具８を左右方向に回転可能で且つ上下方向に傾転可能に取り付けた状態の側面図及び平面図である。このブラケット本体２０に端具８を取り付けるには、ブラケット本体２０の上下両鍔２３，２４間に、端具８の端具受け１１側を挿入して、端具本体１０の上下突片１６，１６を上下両鍔２３，２４と対向するように位置させ、そしてブラケット本体２０の上下鍔２３，２４の支軸挿通孔２３ａ，２４ａから端具本体１０の上下突片１６，１６の切欠溝１５，１５を介して端具受け１１の支軸挿入孔１２に挿通させた支軸２１の上下両端部を、支軸挿通孔２３ａ，２４ａの上下両端部で止着することによって、端具８をブラケット本体２０に対し図４の(a) ，(b) 及び図８の(a) ，(b) に示すような中立位置から左右方向に回転可能で且つ上下方向に傾転可能に支持することができ、そしてコイルバネ９の一端部を端具受け１１のコイルバネ係止部１４に係止し、その他端部をブラケット本体２０側のコイルバネ係止部２６に係止することによって、端具８が左右方向に回転した位置や上下方向に傾転した位置から端具８を中立位置に戻すことができる。尚、端具８は、図４の(b) や図８の(b) に示すような中立位置から左右方向に夫々５０°程度回転可能である。
【００２２】
ブラケット本体２０の取付枠部２５には、図３及び図４に示すように、取付金具１９の一端部を嵌合してビス又はリベット２７止めすることにより、ブラケット本体２０を取付金具１９に取り付ける。また、取付金具１９の他端部は、図２に示すように、上段側梯子１ａの各側枠２上端部にビス又はリベット２８止めされる。
【００２３】
図１０は端具８をブラケット本体２０に対して上下方向に傾転した状態を示しており、(a) は端具８が後傾姿勢に傾転した状態、(b) は前傾姿勢に傾転した状態を示したもので、端具８の傾転角度θは５〜６°程度である。このように端具８がブラケット本体２０に対し上下方向に傾転できるのは、上下両端部をブラケット本体２０の上下両鍔２３，２４に止着させた支軸２１が、端具受け１１に形成されている横断面形状が前後方向に長い長孔状の支軸挿入孔１２を貫通していると共に、この支軸挿通孔１２の上下両端出口で端具本体１０の上下両端から突出する突片１６の切欠溝１５（図６の(b) 参照）を挿通していることによるが、更に支軸２１の前側面の長さ方向中央部が、端具本体１０側から端具受け１１の支軸挿入孔１２内に突入した支持片１７によって支持され、この支持片１７があたかもシーソーの支点の役割を果たしているため、端具８の支持面７の上端部側又は下端部側に力が加わることによって、端具８は上下方向に有効に傾転することができる。
【００２４】
また端具８は図４の(b) 及び図８の(b) に示す中立位置から図１０の(a) ，(b) に示す傾転位置に傾転させることができるが、傾転させた後は、コイルバネ９の付勢力によって中立位置に自動的に復帰することができる。この場合も、端具本体１０側から支軸挿入孔１２に突入した支持片１７によって支軸２１の長さ方向中央部が支持されているから、中立位置へスムーズに復帰することができる。
【００２５】
図１１は、図１及び図２に示す梯子１の上段側梯子１ａの両側枠２，２の上端部に取り付けた両端具装置４，４を、建物の入隅部を形成する対向角度９０°の垂直壁面５，５に支持させて使用している状態を示す平面図である。この図１１では梯子の図示を省略し、端具装置４のみを示している。この場合は、両端具装置４，４の夫々中立位置にある端具８，８の支持面７，７を互いに直交する垂直壁面５，５に突き当てると、端具８，８は、固定側のブラケット６，６に対し夫々左右方向に回転して夫々の支持面７，７が垂直壁面５，５に添接しながら、安定状態に当接支持される。またこの場合、各端具８の支軸２１が垂直壁面５と平行ではなく、多少傾斜していれば、端具８はその傾斜に応じて上下方向に傾転するから、垂直壁面５に対し安定状態に当接支持されることになる。
【００２６】
図１２は、同じく梯子１の上段側梯子１ａの両側枠２，２の上端部に取り付けた両端具装置４，４を、建物の出隅部を形成する互いに直交した垂直壁面５，５に支持させて使用している状態を示す平面図である。この場合も、両端具装置４，４の夫々中立位置にある端具８，８の支持面７，７を互いに直交する垂直壁面５，５に突き当てると、端具８，８は、固定側のブラケット６，６に対し夫々左右方向に回転して夫々の支持面７，７が垂直壁面５，５に添接しながら安定状態に当接支持される。また、各端具８の支軸２１が垂直壁面５と平行ではなく、多少傾斜している場合は、端具８はその傾斜に応じて上下方向に傾転するから、垂直壁面５に対し安定状態に当接支持される。
【００２７】
上記のように入隅部や出隅部のように互いに交差する壁面５，５にわたって梯子１を立て掛けて使用する場合は、梯子１ａの両側枠２，２の夫々上端部に取り付けた端具装置４の端具８が各壁面５の角度に応じて適宜に回転又は傾転して当接することにより、各端具８を壁面５に対し滑りを生ずることなく的確に安定状態に支持させることができる。
【００２８】
以上の実施形態では、梯子１を立て掛ける建物等の壁面が入隅部及び出隅部を形成する場合の使用について説明したが、本発明に係る端具装置４は、梯子１ａの両側枠２，２上端部に取り付けた端具装置４，４を同じ平面上にある壁面に支持させる場合にも使用できることはもちろんである。また上述した実施形態では、梯子１を立て掛ける建物等の壁面を、水平床面に対し垂直な垂直壁面５としているが、本発明の端具装置４は、その壁面が床面に対し垂直でなく、多少傾斜した傾斜面でも適用可能である。
【００２９】
また、上述した端具装置４では、端具本体１０の支持面７に凹凸部３１，３２，３３，３４，３５からなる滑り止めを形成しているから、垂直壁面５に対する端具８の滑りを有効に防止できて、端具８を垂直壁面５に的確に支持させることができる。
【００３０】
また、上述した端具装置４では、ブラケット６は、梯子１の各側枠２上端部に取り付けられる取付金具１９と、取付金具１９の先端部に取り付けられるブラケット本体２０とで構成されるから、長さの異なる複数種類のブラケット６を製作する場合に、ブラケット本体２０は１種類のもので済むため、ブラケット６の製作コストを低減できる。
【符号の説明】
【００３１】
１            梯子
２            側枠
３            踏桟
４            端具装置
５            壁面
６            ブラケット
７            支持面
８            端具
９            コイルバネ
１０          端具本体
１１          端具受け
１２          支軸挿入孔
２１          支軸
【図１】
2011032758.tif 000003
【図２】
2011032758.tif 000004
【図３】
2011032758.tif 000005
【図４】
2011032758.tif 000006
【図５】
2011032758.tif 000007
【図６】
2011032758.tif 000008
【図７】
2011032758.tif 000009
【図８】
2011032758.tif 000010
【図９】
2011032758.tif 000011
【図１０】
2011032758.tif 000012
【図１１】
2011032758.tif 000013
【図１２】
2011032758.tif 000014